(57)【要約】 【課題】  重量物であるボウル部をそのままにした状態で、固定側板や扉などの化粧パネルを簡単に交換できる幼児用流しユニットを提供する。【解決手段】  幼児用流しユニットは外観上、ボウル部１、化粧パネル２及び巾木３からなり、内部に後述する骨組みフレーム７が設けられ、ボウル部１は骨組みフレーム７に固着された天板８に支持されている。ボウル部１は陶器や樹脂からなるとともに３個の水栓金具４が取り付けられている。また、化粧パネル２及び巾木３は金属、プラスチック或いは木製とされ、化粧パネル２については側板５と扉６からなり、ボウル部１の下方の空間を収納空間にしている。  【選択図】        図５
2008272129.tif 000002
【特許請求の範囲】
【請求項１】
室内に設置される幼児用流しユニットにおいて、この幼児用流しユニットは、骨組みフレームと、この骨組みフレーム上に支持されるボウル部と、少なくとも前記骨組みフレームの側面に取り付けられる化粧パネルとを備え、前記化粧パネルは交換可能となるように骨組みフレームに対し着脱自在とされていることを特徴とする幼児用流しユニット。
【請求項２】
請求項１に記載の幼児用流しユニットにおいて、前記骨組みフレームの下端の周囲には巾木が設けられ、この巾木も交換可能となるように骨組みフレームに対し着脱自在とされていることを特徴とする幼児用流しユニット。
【請求項３】
請求項１または請求項２に記載の幼児用流しユニットにおいて、前記ボウル部の外側面は下縁部が上縁部よりも手前側に迫り出す傾斜面となっており、前記化粧パネルはボウル部の外側面の迫り出した下縁部よりも引っ込んでいることを特徴とする幼児用流しユニット。
【発明の詳細な説明】
【技術分野】
【０００１】
本発明は、幼児から小学校低学年までの児童が使用するのに好適な幼児用流しユニットに関する。
【背景技術】
【０００２】
幼児から小学校低学年までの児童が使用する流しユニットとして、特許文献１に開示されるものが知られている。この流しユニットは、多人数が同時に使用できるように、横長のボウル部に複数の水栓金具が取り付けられ、またボウル部はキャビネットを兼ねる本体上に一体的に設置されている。
【０００３】
【特許文献１】意匠登録第６５４９６１号公報
【発明の開示】
【発明が解決しようとする課題】
【０００４】
上述したように、従来の幼児用流しユニットはキャビネットがボウル部を支える構造体として機能しているため、キャビネットは強固な一体構造となっていた。
【０００５】
一方、幼児の手洗い行為は多人数が使用することが考えられ、この場合には１つの幼児用流しユニットに多数の幼児が短時間に集中し、我先にと手洗行為を行うため、キャビネットが靴などで蹴られて汚れたり、傷つくことがある。
また、幼児用流しユニットが設置される室内においては、落書きなどでキャビネットが汚れる場合がある。
【０００６】
しかしながら、前記したように従来の幼児用流しユニットでは、キャビネットは重量物であるボウル部を支える構造体であるため、キャビネットを交換する場合には重量物であるボウル部を先ず退かさなければならず、作業が面倒である。また、キャビネットの一部は扉となっているため、扉に関しては交換可能であるが、前記したようにキャビネットは重量物を支える構造体として機能しなければならないため、扉以外の部分は交換することができない。
【０００７】
特に、キャビネットの下端部は幼児の靴先が頻繁に当たるため、他の部分に比べて汚れと損傷が激しく、交換を要望する声は多くあるが、対応できなかった。
【課題を解決するための手段】
【０００８】
上記課題を解決するため本発明に係る幼児用流しユニットは、室内に設置される流しユニットの骨組みフレームと、この骨組みフレーム上に支持されるボウル部と、前記骨組みフレームの側面に取り付けられる化粧パネルとを備え、前記化粧パネルは交換可能となるように骨組みフレームに対し着脱自在とした。
【０００９】
さらに、前記骨組みフレームの下端の周囲に巾木を設けた場合には、巾木も交換可能となるように骨組みフレームに対し着脱自在とすることが好ましい。
【００１０】
更に、前記ボウル部の形状としては、外側面の下縁部が上縁部よりも手前側に迫り出す傾斜面となっており、前記化粧パネルはボウル部の外側面の迫り出した下縁部よりも引っ込んでいることが好ましい。
【発明の効果】
【００１１】
本発明によれば、幼児が化粧パネルや扉を汚したり傷つけた場合でも、骨組みフレームの上方に備えたボウル部を残したままで化粧パネルや、扉を容易に交換することができる。
【発明を実施するための最良の形態】
【００１２】
以下に本発明の実施例を添付図面に基づいて説明する。図１は本発明に係る幼児用流しユニットの全体斜視図、図２は同幼児用流しユニットの平面図、図３は同幼児用流しユニットの正面図、図４は同幼児用流しユニットの側面図である。
【００１３】
幼児用流しユニットは外観上、ボウル部１、化粧パネル２及び巾木３からなり、内部に後述する骨組みフレームが設けられている。ボウル部１は陶器や樹脂からなるとともに３個の水栓金具４が取り付けられている。また、化粧パネル２及び巾木３は金属、プラスチック或いは木製とされ、化粧パネル２については側板５と扉６からなり、ボウル部１の下方の空間を収納空間としている。尚、化粧パネル２及び巾木３は１枚ものでも分割したものでもよい。
【００１４】
次に、幼児用流しユニットの内部に設けられる骨組みフレームについて、図５及び図６に基づいて説明する。ここで、図５は幼児用流しユニットの分解斜視図、図６（ａ）〜（ｂ）は骨組みフレームの別実施例を示す図である。
【００１５】
骨組みフレーム７は鋼材から形成され溶接或いはボルトによって組み付けて構成される。本実施例では、側方から見てフレームを構成する１つのユニット７ａが門型をなし、このユニット７ａを幅方向の板材７ｂで連結して骨組みフレーム７としている。骨組みフレーム７は自立するようにすれば、設置位置が自由に選択することができる。また、骨組みフレーム７を運搬が簡単な分割タイプとして現場で組み立てるようにしてもよい。
【００１６】
前記したようにボウル部１の下方の空間を収納空間としているが、本実施例では、左側部分は電気温水器の収納空間としている。この電気温水器の設置や修理の際の出し入れを容易にするため、左側部分にあっては前記板材７ｂの高さを低くしている。
【００１７】
骨組みフレーム７の構造は前記に限らず、例えば、図６（ａ）に示すように、フレームを構成するユニット７ａが側面視ロ型をなすもの、図６（ｂ）に示すように、フレームを構成するユニット７ａが側面視アングル状をなすものなど形状は限定されるものではない。
【００１８】
本発明の幼児用流しユニットの設置形態は、図５及び図６（ａ）に示したタイプの骨組みフレーム７は床面の任意の箇所に固定され、例えば同じ構造の骨組みフレーム７を背中合わせに設置し、これらにボウル部１を載せることで壁面に接することなくアイランド状の幼児用流しユニットを室内に設けることも可能である。このような形態は利用幼児が多い場合に適している。また図６（ｂ）に示すタイプは一般的な幼児用流しユニットの形態であり、壁面に押し付けて固定するタイプである。
【００１９】
図７は骨組みフレームに対する化粧パネルの取付部の拡大図であり、化粧パネル２を構成する側板５については図７（ａ）に示すように、フレーム７に固定材５ａを介して内側からビス５ｂで固定され、扉６については図７（ｂ）に示すように、スライド丁番６ａを介して内側からフレーム７に取り付けられる。このようにビス５ｂやスライド丁番６ａが外部に露出しない構造とすることで、仕上げ面での突起をなくす事ができるため、安全性が高まる。
このように構成することで、幼児が化粧パネルや扉を汚したり傷つけた場合でも、骨組みフレームの上方に備えたボウル部を残したままで化粧パネルや、扉を容易に交換することができる。
扉６には、錠前１８が付いており、施錠を管理することで、幼児が不意に扉を開けて中の収納物を出したり、扉で挟んで怪我するのを防いでいる。
【００２０】
図８は骨組みフレームに対する巾木の取付部の拡大図であり、巾木３は左右に２分割され、分割された巾木の外端部の内側には、図８（ａ）に示すようにバネ板３ａが溶接され、このバネ板３ａで骨組みフレーム７の一部を挟み込むことで固定され、巾木の中央部の内側には、図８（ｂ）に示すようにボルト３ｂが溶接され、このボルト３ｂを巾木受け３ｃの孔に差し込んでナット３ｄで締め付けることで左右に分割された巾木の端部を突き合わせて固定するようにしている。
【００２１】
巾木の交換の際は、上記の手順の逆を行うことで容易に外すことができる。このように、骨組みフレームの下端に設けた巾木も交換可能とすることで、最も汚れやすい箇所のみを交換することも可能となり、交換費用を低く抑えることができる。
【００２２】
図５に示したように、骨組みフレーム７の上面には天板８が固定され、この天板８上に前記ボウル部１が支持される。天板８には不陸調整機構９が備えられている。
ボウル部１を水平度の調整が可能な天板８を介して骨組みフレーム上に支持することで、骨組みフレームを床面に固定したまま、ボウル部の位置調整が可能となる。  
【００２３】
不陸調整機構９は、図９（ａ）に示すように天板８に設けた厚み方向の貫通孔１１にナット１２を固着し、このナット１２に芋ネジ１３を螺合し、天板８の下方から貫通孔１１内の芋ネジ１３を廻すことで、突き上げ量の微調整を行うようにしている。また、天板８の下面は収納空間となっているため、芋ネジ１３は、天板８の下面から突出しない部品としている。更にボウル部１下面の芋ネジ１３が当接する部分には陶器割れ防止用のプレート１９を貼り付けている。
【００２４】
また、ボウル部固定部１０は、図９（ｂ）に示すようにボウル部１の開口孔１５にゴムブッシュ１６を圧入する構造としている。そして、前記不陸調整機構９でボウル部１の水平出しをした後に、天板８の下方からネジ１４をゴムブッシュ１６に螺合することでボウル部１は天板８上に固定される。  
【００２５】
図１０はボウル部１の断面図であり、ボウル部１の外側面１ａを下縁部が上縁部よりも手前側に迫り出す傾斜面にし、且つ下縁部が化粧パネル２を構成する扉６よりも手前側、換言すれば扉６が引っ込んだ構造にし、更に下縁部に折返し部１７を形成している。
【００２６】
外側面１ａを丸味を持たせた前傾斜形状とすることで、幼児が水栓金具まで手を伸ばして際に体重をボウル部１に預けることができるため、手洗行為中に腹部、胸部を必要以上に圧迫することがなく、体に負担が掛かりにくい。また前傾斜形状の下縁部の方が上部縁部より先に体の一部に触れるため、幼児が身を乗り出して手洗行為をしても支点が低いため極端な姿勢変化が起き難い。
【００２７】
また、外側面１ａの下縁部を扉６表面よりも手前側に位置せしめることでボウル部１の外側面を伝って水が落下（水滴）しても、化粧パネルにかかることがなく、化粧パネルが汚れにくい。
【００２８】
また、ボウル部１の下端と、化粧パネル２の上端との間は離間して形成されているため、化粧パネル２は着脱の際、ボウル部１を傷付けることや、交換する際に新しい化粧パネル２の上端木口を傷付ける恐れが少ない。上記したように離間させていることで、ボウル部１を伝わる水がボウル部１と天板との間に廻り込む前に下方へ落下するため、ボウル部１と天板との間に水が廻り難く工夫している。
また、化粧パネル２の下端と巾木３の上端との間は離間して形成されているため、巾木３は着脱の際、化粧パネル２の下端木口を傷付けることや、交換する際に新しい巾木３の上端木口を傷付ける恐れが少ない。
【図面の簡単な説明】
【００２９】
【図１】本発明に係る幼児用流しユニットの全体斜視図
【図２】同幼児用流しユニットの平面図
【図３】同幼児用流しユニットの正面図
【図４】同幼児用流しユニットの側面図
【図５】同幼児用流しユニットの分解斜視図
【図６】（ａ）及び（ｂ）は骨組みフレームの別実施例を示す図
【図７】（ａ）及び（ｂ）は骨組みフレームに対する化粧パネルの取付部の拡大図
【図８】（ａ）及び（ｂ）は骨組みフレームに対する巾木の取付部の拡大図
【図９】（ａ）及び（ｂ）は天板によるボウル部の支持構造を示す図
【図１０】ボウル部の断面図
【符号の説明】
【００３０】
１…ボウル部、１ａ…ボウル部の外側面  ２…化粧パネル、３…巾木、３ａ…バネ板、３ｂ…ボルト、３ｃ…巾木受け、３ｄ…ナット、４…水栓金具、５…側板、５ａ…固定材、５ｂ…ビス、６…扉、６ａ…スライド丁番、７…骨組みフレーム、７ａ…フレームユニット、７ｂ…板材、８…天板、９…不陸調整機構、１０…ボウル部固定部、１１…貫通孔、１２…ナット、１３…芋ネジ、１４…ネジ、１５…開口、１６…ゴムブッシュ、１７…折返し部、１８…錠前、１９…プレート。
【図１】
2008272129.tif 000003
【図２】
2008272129.tif 000004
【図３】
2008272129.tif 000005
【図４】
2008272129.tif 000006
【図５】
2008272129.tif 000007
【図６】
2008272129.tif 000008
【図７】
2008272129.tif 000009
【図８】
2008272129.tif 000010
【図９】
2008272129.tif 000011
【図１０】
2008272129.tif 000012